(57)【要約】      （修正有）【課題】天板の昇降移動や使用調整がスムーズな昇降式テーブルの構造を提供する。【解決手段】昇降式テーブルの構造は、天板１０と、二本のテーブル脚２０と、二つの制御ユニット３０とを含む。二本のテーブル脚２０は天板１０の底部に取り付けられ、またテーブル脚２０は底ベース２１があり、底ベース２１に固定される二本の外管２２と、二本の外管２２内に貫通される二本の内管２３があり、内管２３の頂端は天板１０の底部に固定される。二本のテーブル脚２０にそれぞれ一つの制御ユニット３０が設けられ、また制御ユニット３０は各テーブル脚２０にある二本の外管２２の間に取り付けられる。制御ユニット３０はカバー体３５が設けられ、カバー体３５の底部は底ベース２１に固定され、またカバー体３５の両側はそれぞれ連接柱３５１によって二本の外管２２と接続して位置決められ、二つのカバー体３５の間はさらに補強連接棒３５２が接続される。【選択図】図２
0003227430.tif 000002
【実用新案登録請求の範囲】
【請求項１】
一枚の天板と、二本のテーブル脚と、二つの制御ユニットとを含む昇降式テーブルの構造であって、
前記二本のテーブル脚は、前記天板の底部に取り付けられ、また前記二本のテーブル脚はそれぞれ底ベースがあり、前記底ベースに固定される二本の外管があり、そして前記二本の外管内に貫通される二本の内管があり、前記内管の頂端は前記天板の底部に固定され、
前記二つの制御ユニットは、前記二本のテーブル脚にそれぞれ一つの前記制御ユニットが設けられ、また前記制御ユニットは各テーブル脚にある前記二本の外管の間に取り付けられ、前記制御ユニットは伸縮板と、戻り止め部材と、制御棒と、スライドベースとカバー体とを含み、前記伸縮板の一端は前記天板と連接固定され、前記戻り止め部材は軸栓によって前記伸縮板の一側表面に偏心して組接され、また前記戻り止め部材は時計回りに順番に係止柱、貫通孔、連動孔が偏心して設けられ、前記貫通孔と前記伸縮板の間は下へ引っ張られて連動するバネ部材が設けられ、前記制御棒の一端には前記連動孔が連接され、もう一端にはレバーハンドル部が形成され、また前記伸縮板の外に突設され、前記スライドベースには貫通溝が設けられ、前記伸縮板のもう一端が貫通してスライド移動することに提供され、また前記スライドベースは前記戻り止め部材に対応して縦方向誘導溝が設けられ、前記縦方向誘導溝の少なくとも一側辺には複数の位置限定凹み溝が設けられ、前記位置限定凹み溝は上へ徐々に縮小し、また前記縦方向誘導溝に連通してガイド円弧部が形成され、下へは水平状に近い位置限定底部が形成され、前記カバー体は前記スライドベースを覆って固定され、また前記スライドベースは前記カバー体の上半部に制限され、前記カバー体の底部は前記テーブル脚の底ベースに固定され、また前記カバー体の両側はそれぞれ連接柱によって前記二本の外管と接続して位置決められ、前記二本のテーブル脚にある前記二つのカバー体の間はさらに補強連接棒が接続されることを特徴とする昇降式テーブルの構造。
【請求項２】
前記天板の底部には互いに平行する二本の底棒が設けられ、前記二本の底棒の中央部分にはそれぞれ組接板が設けられ、また前記組接板によって前記制御ユニットの伸縮板の頂端と連接されることを特徴とする請求項１の昇降式テーブルの構造。
【請求項３】
前記伸縮板にはレール孔が設けられ、前記制御棒のレバーハンドル部は前記レール孔より突き出し、また前記制御棒の位置移動量は同時に前記レール孔の長さに制限されることを特徴とする請求項１の昇降式テーブルの構造。
【請求項４】
前記伸縮板の内側は蓋板によって前記制御棒を覆って制限することで、前記制御棒の直線の位置移動状態が確保されることを特徴とする請求項３の昇降式テーブルの構造。
【請求項５】
前記スライドベースの頂端には水平にストップ板が設けられ、また前記ストップ板によって前記貫通溝に設置され、前記ストップ板の頂端はさらに保護板が重なって設けられ、前記スライドベースの下半部は前記貫通溝の幅に対応して二枚のＬ型挟み板が設けられ、また前記二枚のＬ型挟み板によって前記伸縮板の下半部が制限されることを特徴とする請求項１の昇降式テーブルの構造。
【考案の詳細な説明】
【技術分野】
【０００１】
本考案はテーブルに関し、特に昇降式テーブルの構造に関する。
【背景技術】
【０００２】
従来の昇降式テーブルは天板と、二つの底ベースと、二つの伸縮構造とを含む。前記二つの伸縮構造は、内管と、外管と、伸縮シリンダーとを含み、伸縮シリンダーのシリンダー本体とシリンダー棒とによって、内管と外管とをそれぞれ連接することで、内管が外管に合わせてスライドでき、天板の高さを調整する効果を奏する。
【０００３】
しかし、従来の昇降式テーブルは前記二つの伸縮構造を前記二つの底ベースにそれぞれ組設することになる。前記二つの伸縮構造はそれぞれ天板の底部に連接されるが、前記二つの伸縮構造の間は連接性を欠けるため、該伸縮構造は傾きやすいまたは揺れやすい状況になることで、内、外管の摩損と作動による干渉で引っ掛かるという欠点があり、該伸縮構造が調整におけるスムーズ性と安定性を大きく影響する。このため、構造設計の改良によって、昇降式テーブルの高さを調整する時の安定性を改善することは、この事業が解決すべき重要な課題である。
【０００４】
従って、本考案者は長年にわたって関係商品の製造開発と設計した経験により、上述の目標について、詳しく設計をし、かつ慎重に評価した結果、実用性に満ちた本考案を得た。
【考案の概要】
【考案が解決しようとする課題】
【０００５】
本考案が解決しようとする課題は、従来の技術に存在する上述欠点を解決し、昇降式テーブルの構造を提供する。
【課題を解決するための手段】
【０００６】
本考案の昇降式テーブルの構造は、天板と、二本のテーブル脚と、二つの制御ユニットとを含む。前記二本のテーブル脚は該天板の底部に取り付けられ、また前記二本のテーブル脚はそれぞれ底ベースがあり、該底ベースに固定される二本の外管があり、そして前記二本の外管内に貫通される二本の内管がある。該内管の頂端は該天板の底部に固定され、前記二本のテーブル脚にそれぞれ一つの前記制御ユニットが設けられ、また該制御ユニットは各テーブル脚にある前記二本の外管の間に取り付けられる。該制御ユニットは、伸縮板と、戻り止め部材と、制御棒と、スライドベースと、カバー体とを含む。該伸縮板の一端には該天板と連接固定し、該戻り止め部材は軸栓によって該伸縮板の一側表面に偏心して組接され、また該戻り止め部材は時計回りに順番に係止柱、貫通孔、連動孔が偏心して設けられる。該貫通孔と該伸縮板との間は下へ引っ張られて連動するバネ部材が設けられる。該制御棒の一端には該連動孔が連接され、もう一端にはレバーハンドル部が形成され、また該伸縮板の外に突設される。該スライドベースには貫通溝が設けられ、該伸縮板のもう一端が貫通してスライド移動することに提供され、また該スライドベースは該戻り止め部材に対応して縦方向誘導溝が設けられ、該縦方向誘導溝の少なくとも一側辺には複数の位置限定凹み溝が設けられ、該位置限定凹み溝は上へ徐々に縮小し、また該縦方向誘導溝に連通してガイド円弧部が形成され、下へは水平状に近い位置限定底部が形成される。該カバー体は該スライドベースを覆って固定され、また該スライドベースは該カバー体の上半部に制限される。該カバー体の底部は該テーブル脚の底ベースに固定され、また該カバー体の両側はそれぞれ連接柱によって前記二本の外管と接続して位置決められ、前記二本のテーブル脚にある二つのカバー体の間はさらに補強連接棒が接続される。
【０００７】
天板の底部には互いに平行する二本の底棒が設けられ、前記二本の底棒の中央部分にはそれぞれ組接板が設けられ、また該組接板によって該制御ユニットの伸縮板の頂端と連接される。
【０００８】
該伸縮板にはレール孔が設けられ、該制御棒のレバーハンドル部は前記レール孔より突き出し、また該制御棒の位置移動量は同時に該レール孔の長さに制限される。
【０００９】
該伸縮板の内側は蓋板によって該制御棒を覆って制限することで、該制御棒の直線の位置移動状態が確保される。
【００１０】
該スライドベースの頂端には水平にストップ板が設けられ、また該ストップ板によって該貫通溝に設置される。該ストップ板の頂端はさらに保護板が重なって設けられ、該スライドベースの下半部は該貫通溝の幅に対応して二枚のＬ型挟み板が設けられ、また前記二枚のＬ型挟み板によって該伸縮板の下半部が制限される。
【００１１】
従来技術の効果を照らし合わせると、該制御ユニットのカバー体の両側は前記二本の外管と連接し、また前記二本のテーブル脚にある前記二つのカバー体の間はさらに補強連接棒が連接されることで、前記二つの制御ユニットは正確の位置に位置することを確保し、該制御ユニットが使用上における正確度を向上し、該伸縮板が該スライドベースに沿って昇降して位置移動する時はより安定し、揺れまたは偏移して角を潰す状況が避けられ、天板の使用調整におけるスムーズ性が増進される。
【００１２】
該制御ユニットの戻り止め部材は該係止柱を常時に該縦方向誘導溝の側辺にあるいずれかの位置限定凹み溝内に嵌められ、また該位置限定凹み溝が下へ水平状に近い位置限定底部が形成されることで、該戻り止め部材の係止柱が確実に該位置限定凹み溝に当てて位置決められるため、該伸縮板が下へ滑ることが防げられる。このような確実かつ安定の構造によって、天板使用の安全性が向上される。また、該天板を上昇するように位置移動して調整する時、天板は下から上へ押し上げられて作動し、該戻り止め部材の係止柱がガイド円弧部に沿って該位置限定凹み溝より離れられるため、天板が上へ調整する目的を奏し、構造の調整方式を大幅に簡単化でき、構造の実用性が増進される。
【図面の簡単な説明】
【００１３】
【図１】図１は、本考案に係る昇降式テーブルの構造を示す立体図である。
【図２】図２は、本考案に係る昇降式テーブルの構造を示す分解図である。
【図３】図３は、本考案の制御ユニットの分解図である。
【図４】図４は、本考案の天板が上へ位置移動するように調整する側視図である。
【図５】図５は、本考案の天板は上へ位置移動するように調整する制御ユニットの作動図である。
【図６】図６は、本考案の天板が上昇する立体図である。
【図７】図７は、本考案の天板が下へ位置移動するように調整する側視図である。
【図８】図８は、本考案は制御棒を押して該戻り止め部材の係止柱が位置限定凹み溝より離れて縦方向誘導溝に入る作動図である。
【図９】図９は、本考案は制御棒を緩めて該戻り止め部材がバネ部材によって位置回復して位置限定凹み溝に入る作動図である。
【考案を実施するための形態】
【００１４】
まず、図１から図３を参照されたい。本考案の昇降式テーブルの構造は、天板１０と、その底部に互いに平行する二本の底棒１１とが設けられ、前記二本の底棒１１の中央部分にはそれぞれ組接板１２が設けられる。二本のテーブル脚２０はそれぞれ底ベース２１があり、該底ベース２１に固定される二本の外管２２があり、そして前記二本の外管２２内に貫通される二本の内管２３があり、前記二本の内管２３の頂端は該天板１０の前記二本の底棒１１に固定される。二つの制御ユニット３０がり、前記二本のテーブル脚２０にそれぞれ一つの前記制御ユニット３０が設けられ、また該制御ユニット３０は各テーブル脚２０にある前記二本の外管２２の間に取り付けられる。該制御ユニット３０は伸縮板３１と、戻り止め部材３２と、制御棒３３と、スライドベース３４とを含む。該伸縮板３１の頂端は該天板１０の底棒１１と連接固定され、該戻り止め部材３２は軸栓３２１によって該伸縮板３１の一側表面に偏心して組接され、また該戻り止め部材３２は時計回りに順番に係止柱３２２と、貫通孔３２３と、連動孔３２４とが偏心して設けられる。該貫通孔３２３と該伸縮板３１との間は下へ引っ張られて連動するバネ部材３２５が設けられる。該制御棒３３の一端には該連動孔３２４が連接され、もう一端にはレバーハンドル部３３１が形成され、また該伸縮板３１の外に突設される。該伸縮板３１には同時にレール孔３１１が設けられ、該制御棒３３のレバーハンドル部３３１は前記レール孔より突き出し、また該制御棒３３の位置移動量は同時に該レール孔３１１の長さに制限される。該伸縮板３１の内側は蓋板３１２によって該制御棒３３を覆って制限することで、該制御棒３３の直線の位置移動状態が確保され、そして該制御棒３３によって該戻り止め部材３２を連動制御してスイングすることで、該係止柱３２２が偏移される。該スライドベース３４の頂端には水平にストップ板３４１が設けられ、また該ストップ板３４１によって該貫通溝３４２が設置されことで、該伸縮板３１のもう一端が貫通してスライドする。該ストップ板３４１の頂端はさらに保護板３４３が重なって設けられ、該スライドベース３４の下半部は該貫通溝３４２の幅に対応して二枚のＬ型挟み板３４４が設けられ、また前記二枚のＬ型挟み板３４４によって該伸縮板３１の下半部が制限される。該スライドベース３４は該戻り止め部材３２に対応して縦方向誘導溝３４５が設けられ、該縦方向誘導溝３４５の少なくとも一側辺には複数の位置限定凹み溝３４６が設けられ、該位置限定凹み溝３４６は上へ徐々に縮小し、また該縦方向誘導溝３４５に連通してガイド円弧部３４７が形成され、下へは水平状に近い位置限定底部３４８が形成される。該カバー体３５は該スライドベース３４を覆って固定され、また該スライドベース３４は該カバー体３５の上半部に制限される。該カバー体３５の底部は該テーブル脚２０の底ベース２１に固定され、また該カバー体３５の両側はそれぞれ連接柱３５１によって前記二本の外管２２と接続して位置決められ、前記二本のテーブル脚２０にある前記二つのカバー体３５の間はさらに補強連接棒３５２が接続される。
【００１５】
構造の組み立ては引き続き図１から図３を参照されたい。前記二本のテーブル脚２０はそれぞれ該底ベース２１によって前記二本の外管２２と前記二本の外管２２との間にあるカバー体３５が設けられる。該カバー体３５の両側はそれぞれ該連接柱３５１と前記二本の外管２２とによって連接固定され、また前記二本のテーブル脚２０にある前記二つのカバー体３５の間はさらに該補強接続棒３５２が連接されることで、前記二つのカバー体３５の位置と連接強度が保たれ、最後は前記二つのカバー体３５にそれぞれ該制御ユニット３０を取り付け、該制御ユニット３０は先に該伸縮板３１を該戻り止め部材３２に取り付け、該戻り止め部材３２の偏心する位置に軸栓３２１によって該伸縮板３１に枢設した上、対角に設置する貫通孔３２３が該バネ部材３２５によって該伸縮板３１に牽引して固定する。該制御棒３３の一端は該レール孔３１１によって該戻り止め部材３２にある連動孔３２４と連接し、また蓋板３１２を使って該制御棒３３をカバーして制限することで、該制御棒３３は該戻り止め部材３２を上へ引っ張って牽引する作動状態を確保すると同時に、該バネ部材３２５によって戻り止め部材３２が跳ね返されて位置回復することが提供される。これによって、該戻り止め部材３２の係止柱３２２が偏移作動する目的を達する。該伸縮板３１は該貫通溝３４２を貫通して該スライドベース３４と連接し、また該伸縮板３１の下半部は前記二枚のＬ型挟み板３４４によって制限されると同時に、該伸縮板３１に組接された戻り止め部材３２が係止柱３２２によって該縦方向誘導溝３４５のいずれかの該位置限定凹み溝３４６内に貫通されることで、該戻り止め部材３２が該位置限定凹み溝３４６に制限されるとともに、下へ押さえられて当てることによる位置限定状態になり、最後は該制御ユニット３０をスライドベース３４によって該カバー体３５内に取り付ける。該伸縮板３１の頂端は該カバー体３５の外を突設し、該天板１０の底部の組接板１２と組接して結合し、さらに伸縮板３１は該スライドベース３４に上下にスライド移動して天板１０が昇降調整の効果を達し、昇降式デーブル構造が完成される。
【００１６】
構造における実際の使用状態は、引き続き図４と図５を参照されたい。該戻り止め部材３２が未作動する時、バネ部材３２５によって下へ引っ張られ、該係止柱３２２が偏移していずれかの該位置限定凹み溝３４６内に制限される。該天板１０が下へ押さえられる時、該戻り止め部材３２の係止柱３２２が該位置限定凹み溝３４６の位置限定底部３４８に当てることで、該伸縮板３１が下へ滑ることなく、位置が決められる。反対に、天板１０が下より上へ押し上げる時、該戻り止め部材３２の係止柱３２２が該ガイド円弧部３４７に沿って抜けて位置移動し、またバネ部材３２５の跳ね返しによって該係止柱３２２を別の位置限定凹み溝３４６内に偏移させ、該伸縮板３１がスライドベース３４に沿って上へ位置移動することで、該天板１０の上昇調整を達する。
【００１７】
さらに、天板１０を下へ調整して位置移動したい時、図６から図９を参照されたい。天板１０の両側より前記二本の制御ユニット３０の制御棒３３を上へ押し、また該制御棒３３によって該戻り止め部材３２の連動孔３２４を上へ引っ張ることで、該戻り止め部材３２が該軸栓３２１を支点にしてスイング作動し、該係止柱３２２を該縦方向誘導溝３４５に位置移動させ、該位置限定凹み溝３４６の制限より離れて該係止柱３２２が該縦方向誘導溝３４５に沿って位置移動できる。この時、該天板１０を下へ位置移動させて調整したり、該天板１０の使用高さを自由に昇降して調整したりして、該制御棒３３を緩めた後、該戻り止め部材３２が再びバネ部材３２５の跳ね返しを受けて位置回復するため、該係止柱３２２がいずれかの該位置限定凹み溝３４６内に偏移し、そして該位置限定凹み溝３４６の位置限定底部３４８に当てることで、該伸縮板３１が下へ滑ることなく、位置決め状態になる。
【００１８】
上述の具体的な実施例の構造によって以下の効果が得られる。該制御ユニット３０のカバー体３５の両側は前記二本の外管２２と連接し、前記二本のテーブル脚２０にある前記二つのカバー体３５の間はさらに補強連接棒３５２が連接されることで、前記二つの制御ユニット３０は正確の位置に位置することを確保し、該制御ユニット３０が使用上における正確度を向上し、該伸縮板３１が該スライドベース３４に沿って昇降して位置移動する時はより安定し、揺れまたは偏移して角を潰す状況が避けられ、天板１０の使用調整におけるスムーズ性が増進される。
【００１９】
該制御ユニット３０の戻り止め部材３２は該係止柱３２２を常時に該縦方向誘導溝３４５の側辺にあるいずれかの位置限定凹み溝３４６内に嵌められ、また該位置限定凹み溝３４６が下へ水平状に近い位置限定底部３４８が形成されることで、該戻り止め部材３２の係止柱３２２が確実に該位置限定凹み溝３４６に当てて位置決められるため、該伸縮板３１が下へ滑ることが防げられる。このような確実かつ安定の構造によって、天板１０使用の安全性が向上される。また、該天板１０を上昇するように位置移動して調整する時、天板１０は下から上へ押し上げられて作動し、該戻り止め部材３２の係止柱３２２がガイド円弧部３４７に沿って該位置限定凹み溝３４６より離れられるため、天板１０が上へ調整する目的を奏する。構造の調整方式を大幅に簡単化でき、構造の実用性が増進される。
【００２０】
以上は、本考案に係る実施例の一部に過ぎないため、本考案の実施範囲を制限するものではない。即ち、本考案の実用新案登録請求の範囲内で行われる変化、修飾なども本考案の範囲に属すべきである。
【符号の説明】
【００２１】
本考案：
１０              天板
１１              底棒
１２              組接板
２０              テーブル脚
２１              底ベース
２２              外管
２３              内管
３０              制御ユニット
３１              伸縮板
３１１            レール孔
３１２            蓋板
３２              戻り止め部材
３２１            軸栓
３２２            係止柱
３２３            貫通孔
３２４            連動孔
３２５            バネ部材
３３              制御棒
３３１            レバーハンドル部
３４              スライドベース
３４１            ストップ板
３４２            貫通溝
３４３            保護板
３４４            Ｌ型挟み板
３４５            縦方向誘導溝
３４６            位置限定凹み溝
３４７            ガイド円弧部
３４８            位置限定底部
３５              カバー体
３５１            連接柱
３５２            補強接続棒
【図１】
0003227430.tif 000003
【図２】
0003227430.tif 000004
【図３】
0003227430.tif 000005
【図４】
0003227430.tif 000006
【図５】
0003227430.tif 000007
【図６】
0003227430.tif 000008
【図７】
0003227430.tif 000009
【図８】
0003227430.tif 000010
【図９】
0003227430.tif 000011